(57)【要約】【課題】多様な架構形式や施工方法への対応が容易な柱梁架構の構築方法を提供する。【解決手段】柱梁架構１０の構築方法は、第１縦継手部材が埋め込まれたＰＣａ製の第１柱１４を建て込む工程と、第１横貫通孔が形成された仕口部１７を有するＰＣａ製の第２柱１６を、第１柱１４の隣に建て込む工程と、第１縦貫通孔４４が形成された仕口部１９と、両端部から梁鉄筋３６、４６が突出されたＰＣａ製の第１梁１８を移動させ、梁鉄筋４６を、第２柱１６の第１貫通孔４０を貫通させて接合する工程と、両端部に横方向へ第１横継手部材３２が埋め込まれたＰＣａ製の第２梁２０を移動させ、第１横継手部材３２へ第１梁１４の梁鉄筋４６を挿入させて接合する工程と、接続鉄筋４２Ｕを突出させた上階の柱１４Ｕを下方へ移動させ、第１梁１４の第１縦貫通孔を貫通させて第１柱１４の第１縦継手部材３０と接合する工程と、を有している。【選択図】図１
2015129412.tif 000002
【特許請求の範囲】
【請求項１】
仕口部がなく、上面に縦方向に第１縦継手部材が埋め込まれたプレキャストコンクリート製の第１柱を建て込む工程と、
横方向に第１横貫通孔が形成された仕口部を有するプレキャストコンクリート製の第２柱を、前記第１柱の隣に建て込む工程と、
縦方向に第１縦貫通孔が形成された仕口部と、１スパン分の梁長を備え、両端部から梁鉄筋が突出されたプレキャストコンクリート製の第１梁を横方向へ移動させ、前記梁鉄筋を、前記第２柱の前記第１横貫通孔を貫通させて接合する工程と、
１スパン分の梁長を備え、両端部に横方向へ第１横継手部材が埋め込まれたプレキャストコンクリート製の第２梁を横方向へ移動させ、前記第１横継手部材へ前記第１梁の前記梁鉄筋を挿入させて接合する工程と、
下面から柱鉄筋を突出させた上階の柱を下方へ移動させ、前記柱鉄筋を、前記第１梁の前記第１縦貫通孔を貫通させて前記第１柱の前記第１縦継手部材と接合する工程と、
を有する柱梁架構の構築方法。
【請求項２】
仕口部がなく、上面に縦方向に第１縦継手部材が埋め込まれたプレキャストコンクリート製の第１柱を建て込む工程と、
横方向に第１横貫通孔が形成された仕口部を有するプレキャストコンクリート製の第２柱を、前記第１柱の隣に建て込む工程と、
縦方向に第１縦貫通孔が形成された仕口部と、１スパン分の梁長を備え、前記仕口部側端部には横方向へ第１横継手部材が埋め込まれ、前記第２柱側端部からは梁鉄筋が突出されたプレキャストコンクリート製の第１梁を横方向へ移動させ、前記梁鉄筋を、前記第２柱の前記第１横貫通孔を貫通させて接合する工程と、
１スパン分の梁長を備え、前記第１梁側の端部から梁鉄筋が突出されたプレキャストコンクリート製の第２梁を横移動させ、前記第１梁の前記第１横継手部材に前記梁鉄筋を挿入させて接合する工程と、
下面から柱鉄筋を突出させた上階の柱を下方へ移動させ、前記柱鉄筋を、前記第１梁の前記第１縦貫通孔を貫通させて前記第１柱の前記第１縦継手部材と接合する工程と、
を有する柱梁架構の構築方法。
【請求項３】
横方向に第１横貫通孔が形成された仕口部を有するプレキャストコンクリート製の第１柱を、先行配置された梁から突出された梁鉄筋を前記第１貫通孔に貫通させながら、横方向へ移動させて建て込む工程と、
１スパン分の梁長を備え、両端部に横方向へ第１横継手部材が埋め込まれたプレキャストコンクリート製の第１梁を横移動させ、前記第１横貫通孔から突出された梁鉄筋と前記第１横継手部材を接合する工程と、
横方向に第２横貫通孔が形成された仕口部を有するプレキャストコンクリート製の第２柱を、前記第１柱の隣に建て込む工程と、
１スパン分の梁長を備え、両端部から梁鉄筋が突出されたプレキャストコンクリート製の第２梁を横方向へ移動させ、前記梁鉄筋を、前記第２横貫通孔を貫通させて前記第１梁の前記第１横継手部材と接合する工程と、
を有する柱梁架構の構築方法。
【請求項４】
両側面から横方向に梁鉄筋が突出された仕口部を有するプレキャストコンクリート製の第１柱を、横方向へ移動させて、先行配置された梁の端部に埋め込まれた横継手部材に前記梁鉄筋を挿入しながら建て込む工程と、
１スパン分の梁長を備え、両端部に横方向へ第１横継手部材が埋め込まれたプレキャストコンクリート製の第１梁を横移動させ、前記第１梁から突出された梁鉄筋と前記第１横継手部材を接合する工程と、
横方向に第１横貫通孔が形成された仕口部を有するプレキャストコンクリート製の第２柱を、前記第１柱の隣に建て込む工程と、
１スパン分の梁長を備え、前記第２柱側の端部から梁鉄筋が突出されたプレキャストコンクリート製の第２梁を横方向へ移動させ、前記梁鉄筋を、前記第２柱の前記第１横貫通孔を貫通させて前記第１梁の前記第１横継手部材と接合する工程と、
を有する柱梁架構の構築方法。
【請求項５】
横方向に第１横貫通孔が形成された仕口部を有するプレキャストコンクリート製の第１柱を建て込み、前記第１横貫通孔へ梁接続鉄筋を貫通させ、先行配置された梁の端部に埋め込まれた横継手部材に、前記梁鉄筋を挿入する工程と、
１スパン分の梁長を備え、両端部に横方向へ第１横継手部材が埋め込まれたプレキャストコンクリート製の第１梁を横移動させ、前記第１横貫通孔から突出された前記梁接続鉄筋を前記第１横継手部材へ挿入して接合する工程と、
横方向に第２横貫通孔が形成された仕口部を有するプレキャストコンクリート製の第２柱を、前記第１柱の隣に建て込む工程と、
１スパン分の梁長を備え、前記第２柱側の端部から梁鉄筋が突出されたプレキャストコンクリート製の第２梁を横方向へ移動させ、前記梁鉄筋を、前記第２柱の前記第２横貫通孔に貫通させて前記第１梁の前記第１横継手部材と接合する工程と、
を有する柱梁架構の構築方法。
【発明の詳細な説明】
【技術分野】
【０００１】
本発明は、柱梁架構の構築方法に関する。
【背景技術】
【０００２】
プレキャストコンクリート（ＰＣａ）製の柱、及びＰＣａ製の梁で構築されたＰＣａ製の柱梁架構では、現場でのコンクリート打設作業の低減が求められている。
ここに、現場でのコンクリート打設作業を必要としないＰＣａ製の柱梁架構が提案されている（特許文献１）。
【０００３】
特許文献１には、水平方向に複数の貫通孔が形成された仕口部を備えたＰＣａ製の柱と、長手方向の一方の端面から複数の梁用接続鉄筋を突出させ、他方の端面の内方には複数の梁継手部材を埋設したＰＣａ製の梁を用いた、柱梁架構の構築方法が記載されている。
具体的には、第１工程で、ＰＣａ製の柱を鉛直方向下方へ移動させて、先行配置された一方の梁の端面と接する位置に設置する。続いて第２工程で、端面から横方向へ梁用接続鉄筋が突出されたＰＣａ製の他方の梁を、水平方向へ移動させ、柱に形成された柱仕口部の貫通孔に、梁用接続鉄筋を貫通させ、一方の梁に埋設された梁継手部材と接合させる。この、第１工程と第２工程を順次繰り返して柱梁架構を構築する。
【先行技術文献】
【特許文献】
【０００４】
【特許文献１】特許第４７８１６８７号公報
【発明の概要】
【発明が解決しようとする課題】
【０００５】
しかし、特許文献１の技術では、仕口部が全てＰＣａ製の柱に設けられ、ＰＣａ製の梁から水平方向に突出された梁用接続鉄筋で、水平方向に、全て同じ要領で連続して同じ向きに接続される。このように、特許文献１の柱梁架構は画一的な構成であるため、多様な架構形式や施工方法への対応が困難である。
【０００６】
本発明は上記事実に鑑み、仕口部を、ＰＣａ製の柱とＰＣａ製の梁に分散して設けたり、接続鉄筋の配筋方法や接続方向を変えることで、柱梁架構の、多様な架構形式や施工方法への対応を容易とすることを目的とする。
【課題を解決するための手段】
【０００７】
請求項１に記載の発明に係る柱梁架構の構築方法は、仕口部がなく、上面に縦方向に第１縦継手部材が埋め込まれたプレキャストコンクリート製の第１柱を建て込む工程と、横方向に第１横貫通孔が形成された仕口部を有するプレキャストコンクリート製の第２柱を、前記第１柱の隣に建て込む工程と、縦方向に第１縦貫通孔が形成された仕口部と、１スパン分の梁長を備え、両端部から梁鉄筋が突出されたプレキャストコンクリート製の第１梁を横方向へ移動させ、前記梁鉄筋を、前記第２柱の前記第１横貫通孔を貫通させて接合する工程と、１スパン分の梁長を備え、両端部に横方向へ第１横継手部材が埋め込まれたプレキャストコンクリート製の第２梁を横方向へ移動させ、前記第１横継手部材へ前記第１梁の前記梁鉄筋を挿入させて接合する工程と、下面から柱鉄筋を突出させた上階の柱を下方へ移動させ、前記柱鉄筋を、前記第１梁の前記第１縦貫通孔を貫通させて前記第１柱の前記第１縦継手部材と接合する工程と、を有することを特徴としている。
【０００８】
請求項１に記載の発明によれば、第２柱の仕口部に形成された第１横貫通孔へ、第１梁から突出された梁鉄筋が挿入され、第２柱と第１梁が接合される。また、第１梁の仕口部に形成された第１縦貫通孔へ、上階の柱から突出された梁鉄筋が挿入され、第１柱と第１梁が接合され、第１梁から突出された梁鉄筋で、第１梁と第２梁が接合される。
これにより、仕口部を第２柱と第１梁に分散させることができる。このとき、仕口部を貫通する接続鉄筋の接合方向を、縦方向と横方向にそれぞれ異ならせることができる。また、第１柱と第２柱、及び第１梁と第２梁の構成を、それぞれ異ならせることができる。この結果、柱梁架構の、多様な架構形式や施工方法への対応を容易とすることができる。
【０００９】
請求項２に記載の発明に係る柱梁架構の構築方法は、仕口部がなく、上面に縦方向に第１縦継手部材が埋め込まれたプレキャストコンクリート製の第１柱を建て込む工程と、横方向に第１横貫通孔が形成された仕口部を有するプレキャストコンクリート製の第２柱を、前記第１柱の隣に建て込む工程と、縦方向に第１縦貫通孔が形成された仕口部と、１スパン分の梁長を備え、前記仕口部側端部には横方向へ第１横継手部材が埋め込まれ、前記第２柱側端部からは梁鉄筋が突出されたプレキャストコンクリート製の第１梁を横方向へ移動させ、前記梁鉄筋を、前記第２柱の前記第１横貫通孔を貫通させて接合する工程と、１スパン分の梁長を備え、前記第１梁側の端部から梁鉄筋が突出されたプレキャストコンクリート製の第２梁を横移動させ、前記第１梁の前記第１横継手部材に前記梁鉄筋を挿入させて接合する工程と、下面から柱鉄筋を突出させた上階の柱を下方へ移動させ、前記柱鉄筋を、前記第１梁の前記第１縦貫通孔を貫通させて前記第１柱の前記第１縦継手部材と接合する工程と、を有することを特徴としている。
【００１０】
請求項２に記載の発明によれば、第２柱の仕口部に形成された第１横貫通孔へ、第１梁から突出された梁鉄筋が挿入され、第２柱と第１梁が接合される。また、第１梁の仕口部に形成された第１縦貫通孔へ、上階の柱から突出された柱鉄筋が挿入され、第１柱と第１梁が接合され、第２梁から突出された梁鉄筋で、第１梁と第２梁が接合される。
これにより、仕口部を第２柱と第１梁に分散させることができる。このとき、仕口部を貫通する接続鉄筋の接合方向を、縦方向と横方向にそれぞれ異ならせることができる。また、第１柱と第２柱、及び第１梁と第２梁の構成を、それぞれ異ならせることができる。この結果、柱梁架構の、多様な架構形式や施工方法への対応を容易とすることができる。
【００１１】
請求項３に記載の発明に係る柱梁架構の構築方法は、横方向に第１横貫通孔が形成された仕口部を有するプレキャストコンクリート製の第１柱を、先行配置された梁から突出された梁鉄筋を前記第１貫通孔に貫通させながら、横方向へ移動させて建て込む工程と、１スパン分の梁長を備え、両端部に横方向へ第１横継手部材が埋め込まれたプレキャストコンクリート製の第１梁を横移動させ、前記第１横貫通孔から突出された梁鉄筋と前記第１横継手部材を接合する工程と、横方向に第２横貫通孔が形成された仕口部を有するプレキャストコンクリート製の第２柱を、前記第１柱の隣に建て込む工程と、１スパン分の梁長を備え、両端部から梁鉄筋が突出されたプレキャストコンクリート製の第２梁を横方向へ移動させ、前記梁鉄筋を、前記第２横貫通孔を貫通させて前記第１梁の前記第１横継手部材と接合する工程と、を有することを特徴としている。
【００１２】
請求項３に記載の発明によれば、第１柱の仕口部に形成された第１横貫通孔へ、先行配置された梁から突出された梁鉄筋が挿入され、第１柱と第１梁が接合される。また、第２梁から突出された梁鉄筋が、第２柱の仕口部に形成された第２横貫通孔を貫通して、第１梁と接合され、第２柱と第１梁、及び第２柱と第２梁が接合される。
これにより、仕口部は、いずれも第１柱と第２柱に設けられるものの、仕口部を貫通する接続鉄筋の接合方向を、正面視において、右方向からと左方向からにそれぞれ異ならせることができる。また、第１柱と第２柱、及び第１梁と第２梁の構成を、それぞれ異ならせることができる。この結果、柱梁架構の、多様な架構形式や施工方法への対応を容易とすることができる。
【００１３】
請求項４に記載の発明に係る柱梁架構の構築方法は、両側面から横方向に梁鉄筋が突出された仕口部を有するプレキャストコンクリート製の第１柱を、先行配置された梁の端部に埋め込まれた横継手部材に、前記梁鉄筋を挿入しながら横方向へ移動させて建て込む工程と、１スパン分の梁長を備え、両端部に横方向へ第１横継手部材が埋め込まれたプレキャストコンクリート製の第１梁を横移動させ、前記第１梁から突出された梁鉄筋と前記第１横継手部材を接合する工程と、横方向に第１横貫通孔が形成された仕口部を有するプレキャストコンクリート製の第２柱を、前記第１柱の隣に建て込む工程と、１スパン分の梁長を備え、前記第２柱側の端部から梁鉄筋が突出されたプレキャストコンクリート製の第２梁を横方向へ移動させ、前記梁鉄筋を、前記第２柱の前記第１横貫通孔を貫通させて前記第１梁の前記第１横継手部材と接合する工程と、を有することを特徴としている。
【００１４】
請求項４に記載の発明によれば、第１柱の仕口部から突出された梁鉄筋が、第１梁の継手部材と接合され、第１柱と第１梁が接合される。また、第２梁から突出された梁鉄筋が、第２柱に形成された第１横貫通孔を貫通して第１梁と接合され、第２柱と第１梁、及び第１梁と第２梁が接合される。
これにより、仕口部は、いずれも第１柱と第２柱に設けられるものの、仕口部における接続鉄筋の配筋方法をそれぞれ異ならせることができる。また、第１柱と第２柱、及び第１梁と第２梁の構成を、それぞれ異ならせることができる。この結果、柱梁架構の多様な架構形式や施工方法への対応を容易とすることができる。
【００１５】
請求項５に記載の発明に係る柱梁架構の構築方法は、横方向に第１横貫通孔が形成された仕口部を有するプレキャストコンクリート製の第１柱を建て込み、前記第１横貫通孔へ梁接続鉄筋を貫通させ、先行配置された梁の端部に埋め込まれた横継手部材に、前記梁鉄筋を挿入する工程と、１スパン分の梁長を備え、両端部に横方向へ第１横継手部材が埋め込まれたプレキャストコンクリート製の第１梁を横移動させ、前記第１横貫通孔から突出された前記梁接続鉄筋を前記第１横継手部材へ挿入して接合する工程と、横方向に第２横貫通孔が形成された仕口部を有するプレキャストコンクリート製の第２柱を、前記第１柱の隣に建て込む工程と、１スパン分の梁長を備え、前記第２柱側の端部から梁鉄筋が突出されたプレキャストコンクリート製の第２梁を横方向へ移動させ、前記梁鉄筋を、前記第２柱の前記第２横貫通孔に貫通させて前記第１梁の前記第１横継手部材と接合する工程と、を有することを特徴としている。
【００１６】
請求項５に記載の発明によれば、第１柱の仕口部に形成された第１横貫通孔へ、梁接続用の梁接続鉄筋が挿入され、第１柱と第１梁が接合される。また、第２梁から突出された梁鉄筋が、第２柱の仕口部に形成された第２横貫通孔を貫通して、第１梁と接合され、第２柱と第１梁、及び第１梁と第２梁が接合される。
これにより、仕口部は、いずれも第１柱と第２柱に設けられ、同じ構成になるものの、仕口部における接続鉄筋の配筋方法をそれぞれ異ならせることができる。また、第１梁と第２梁の構成を、それぞれ異ならせることができる。この結果、柱梁架構の多様な架構形式や施工方法への対応を容易とすることができる。
【発明の効果】
【００１７】
本発明は、上記構成としてあるので、仕口部を、ＰＣａ製の柱とＰＣａ製の梁に分散して設けたり、接続鉄筋の配筋方法や接続方向を変えることができ、柱梁架構の、多様な架構形式や施工方法への対応を容易とすることができる。
【図面の簡単な説明】
【００１８】
【図１】本発明の第１実施形態に係る構築方法で構築された柱梁架構を模式的に示す断面図である。
【図２】（Ａ）、（Ｂ）はいずれも、本発明の第１実施形態に係る柱梁架構の構築方法における構築段階を示す断面図である。
【図３】（Ａ）、（Ｂ）はいずれも、本発明の第１実施形態に係る柱梁架構の構築方法における構築段階を示す断面図である。
【図４】（Ａ）、（Ｂ）はいずれも、本発明の第１実施形態に係る柱梁架構の構築方法における構築段階を示す断面図である。
【図５】本発明の第２実施形態に係る構築方法で構築された柱梁架構を模式的に示す断面図である。
【図６】（Ａ）、（Ｂ）はいずれも、本発明の第２実施形態に係る柱梁架構の構築方法における構築段階を示す断面図である。
【図７】本発明の第３実施形態に係る構築方法で構築された柱梁架構を模式的に示す断面図である。
【図８】（Ａ）、（Ｂ）はいずれも、本発明の第３実施形態に係る柱梁架構の構築方法における構築段階を示す断面図である。
【図９】（Ａ）、（Ｂ）、（Ｃ）はいずれも、本発明の第３実施形態に係る柱梁架構の構築方法における柱の接続手順を示す断面図である。
【図１０】本発明の第４実施形態に係る構築方法で構築された柱梁架構を模式的に示す断面図である。
【図１１】（Ａ）、（Ｂ）はいずれも、本発明の第４実施形態に係る柱梁架構の構築方法における構築段階を示す断面図である。
【図１２】（Ａ）、（Ｂ）はいずれも、本発明の第４実施形態に係る柱梁架構の構築方法における構築段階を示す断面図である。
【図１３】本発明の第５実施形態に係る構築方法で構築された柱梁架構を模式的に示す断面図である。
【図１４】（Ａ）、（Ｂ）はいずれも、本発明の第５実施形態に係る柱梁架構の構築方法における構築段階を示す断面図である。
【発明を実施するための形態】
【００１９】
（第１実施形態）
本発明の第１実施形態に係る柱梁架構１０の構築方法について、図１〜図４を用いて説明する。
図１は、本実施形態に係る構築方法で構築された柱梁架構１０を示す正面から見た断面図であり、図２〜図４は各構築段階を示している。
【００２０】
図１は、柱梁架構１０の基準階ｎＦにおける柱梁架構の一部を示している。柱梁架構１０は、一方向（Ｘ軸方向）にのみ記載しているが、紙面の奥行方向（Ｙ軸方向）にも、同様の柱梁架構が構築される。更に、上下方向（Ｚ軸方向）にも構築され、多層構造とされた建物の柱梁架構を形成する。
【００２１】
柱梁架構１０は、端部に位置する柱梁架構２６と、柱梁架構２６に続いて構築される柱梁構築２８を有している。柱梁構築２８は、標準化された最少単位の柱梁架構１２（１２Ａ、１２Ｂ、…）を、必要な数だけ繰り返して構築される。
柱梁架構１２（１２Ａ、１２Ｂ、…）は、いずれも同じ構成であり、以後、柱梁架構１２として説明する。
【００２２】
先ず、端部に位置する柱梁架構２６の構築方法について説明する。
柱梁架構２６は、プレキャストコンクリート製（以下ＰＣａ製）の柱２２と、ＰＣａ製の梁２４で構築される。
図２（Ａ）に示すように、最初に、柱２２が所定の位置に建て込まれる。ここに、柱２２は、階高分（以下、本実施形態では上下階の梁間の高さＨをいう。）の柱長Ｈを有し、柱２２の上部には、仕口部２３が一体的に形成されている。柱２２の下面には、柱用のスリーブ３０が埋め込まれており、仕口部２３の上面からは、柱用の接続鉄筋３４が突出されている。また、仕口部２３の一方の側面からは、梁用の接続鉄筋３６が突出されている。
【００２３】
柱２２は、鉛直方向下方（矢印ＤＶ方向）へ移動され、下階に先行配置されたＰＣａ製の柱２２Ｄの上に建て込まれ、柱２２Ｄと接合される。ここに、柱２２Ｄは柱２２と同じ構成であり、柱２２Ｄの上面から突出された接続鉄筋（柱鉄筋）３４Ｄが、柱２２のスリーブ３０内に挿入されて接合される。このとき、接続鉄筋（梁鉄筋）３６を、柱梁架構１２が構築される方向（Ｘ軸方向）へ向けておく。
【００２４】
次に、ＰＣａ製の梁２４が横方向（矢印Ｈ方向）に移動され、柱２２の仕口部２３と接合される。ここに、梁２４は、１スパン分（以下、本実施形態では隣接する柱の側面間の距離Ｓをいう。）の長さＳを有し、長手方向の両端部には、梁用のスリーブ３２が埋め込まれている。これにより、柱２２側のスリーブ３２内へと柱２２から突出された梁用の接続鉄筋３６が挿入され、接合される。このとき、梁２４の他方の端部は、必要に応じて、サポート３８で支持される。
【００２５】
なお、柱２２と柱２２Ｄの接合部、及び柱２２と梁２４の接合部は、目地及びスリーブ３０、３２にグラウトが注入、または圧入充填されて固定される。
以上の手順で、柱梁架構２６が構築される（図２（Ｂ）参照）。
【００２６】
続いて、柱梁架構１２の構築方法について説明する。
ここに、柱梁架構２８は、ＰＣａ製の柱１４、１６と、ＰＣａ製の梁１８、２０で構築される。
【００２７】
先ず、図３（Ａ）に示すように、柱（第１柱）１４が、先行配置された下階の梁１８Ｄの上に建て込まれる。ここに、柱１４は、階高分の梁長Ｈを有し、仕口部は設けられていない。また、上面には、縦方向に柱用のスリーブ（第１縦継手部材）３０が埋め込まれ、下面からは、柱用の接続鉄筋（柱鉄筋）４２が突出されている。
なお、柱１４は、後述するように、先行配置された下階の柱梁架構１２Ｄの構築時に、鉛直方向下方（矢印Ｄ方向）へ移動させ、下階のＰＣａ製の梁１８Ｄの貫通孔４４Ｄを貫通して、柱１４Ｄのスリーブ３０と接合されている。
【００２８】
次に、柱（第２柱）１６を、柱１４の隣に１スパン分の距離Ｓを開けて建て込む。
ここに、柱１６は、階高分の柱長さＨを有し、上部に仕口部１７が一体成型されている。また、仕口部１７には、横方向に貫通孔（第１横貫通孔）４０が形成され、仕口部１７の上面からは、柱用の接続鉄筋３４が突出されている。また、下面には、縦方向に柱用のスリーブ（第１縦継手部材）３０が埋め込まれている。
【００２９】
柱１６は、矢印ＤＶで示す鉛直方向下方へ移動され、下階のＰＣａ製の柱１６Ｄと接合される。柱１６Ｄは、柱１６と同じ構成であり、柱１６Ｄの上面から突出された接続鉄筋３４Ｄが、柱用のスリーブ３０の内部に挿入されて接合される。このとき、柱１６は、貫通孔４０を、柱梁架構１２が構築される方向（Ｘ軸方向）へ向けて建て込まれる。
【００３０】
次に、図３（Ｂ）に示すように、梁（第１梁）１８が、柱１６に取付けられる。  
ここに、梁１８は、１スパン分の梁長Ｓを有し、一方の端部には仕口部１９が設けられている。梁１８の仕口部１９には、縦方向に貫通孔（第１貫通孔）４４が形成されている。また、梁１８の柱１６側の端部からは、横方向へ、梁用の接続鉄筋４６が突出されている。
【００３１】
梁１８は、柱１４に乗せられた状態で、横方向（矢印ＨＶ方向）へ移動させられる。これにより、梁鉄筋４６が、柱１６の貫通孔４０を貫通し、先端が梁２４のスリーブ３２と接合される。このとき、梁１８は、必要に応じてサポート３８で支持される。梁１８が柱１６と接合された状態では、仕口部１９は柱１４の上面に載置され、梁１８の貫通孔４４と、柱１４のスリーブ３０の位置が、鉛直方向に一致する。
【００３２】
次に、図４（Ａ）に示すように、梁（第１梁）２０が横方向（矢印ＨＶ方向）へ移動され、仕口部１９に取付けられる。
ここに、梁２０は、上述した梁２４と同じ構成であり、１スパン分の梁長Ｓを有し、長手方向の両端部には、梁用のスリーブ３２が埋め込まれている。梁２０を、矢印ＨＶの方向へ移動させることにより、仕口部１９から突出された接続鉄筋３６が、仕口部１９側のスリーブ３２内に挿入されて接合される。梁２０は、必要に応じて、サポート３８で支持される。
【００３３】
最後に、図４（Ｂ）に示すように、下面から接続鉄筋４２Ｕを突出させた、上階の柱１４Ｕが、下方（矢印ＤＶ方向）へ移動させられる。これにより、柱１４Ｕの接続鉄筋４２Ｕが、梁１８の縦貫通孔４４へ貫通され、柱１４のスリーブ３２内に挿入されて接合される。
なお、以上説明した柱梁接合部は、目地、貫通孔４０、４４、及びスリーブ３０、３２にグラウトが注入され、または圧入充填されて固定される。
以上の工程を、Ｘ軸方向、及びＸ軸と直交するＹ軸方向へ方向繰り返すことで、柱梁架構２８が構築される。
【００３４】
以上説明したように、本実施形態によれば、柱１６の仕口部１７に形成された貫通孔４０へ、梁１８から突出された接続鉄筋４６が挿入され、柱１６と梁１８が接合される。また、梁１８の仕口部１９に形成された貫通孔４４へ、上階の柱１４Ｕから突出された接続鉄筋４２Ｕが挿入され、柱１４と梁１８が接合され、梁１８から突出された接続鉄筋３６で、梁１８と梁２０が接合される。
【００３５】
これにより、仕口部１７、１９を柱１６と梁１８に分散させることができる。このとき、仕口部１７を貫通する接続鉄筋４６の接合方向と、仕口部１９を貫通する接続鉄筋４２Ｕの接合方向を、縦方向と横方向にそれぞれ異ならせることができる。また、柱１６と柱１４、及び梁１８と梁２０の構成を、それぞれ異ならせることができる。
この結果、柱梁架構１０の、多様な架構形式や施工方法への対応を容易とすることができる。
【００３６】
更に、従来は、例えば特許文献１に示されているように、いずれのプレキャスト（ＰＣａ）製の梁も、ＰＣａ製の柱に載置させることはできず、鉄筋の定着が終わるまで、全てのＰＣａ製の梁を、支保工などで仮保持する必要があった。このため、仮保持用の部材であるサポート３８を多く必要としていた。
これに対し、本実施形態では、ＰＣａ製の梁の一部をＰＣａ製の柱に載置させることができ、従来に比べてサポート３８の数を少なくすることができる。
【００３７】
（第２実施形態）
本発明の第２実施形態に係る柱梁架構５０の構築方法について、図５、図６を用いて説明する。柱梁架構５０は、梁５２と梁５４の構成を第１実施形態に係る柱梁架構１０と異ならせた構成である。相違点を中心に説明する。
ここに、図５は、本実施形態に係る構築方法で構築された柱梁架構５０を正面から見た断面図であり、図６（Ａ）、（Ｂ）は各構築段階を示している。
【００３８】
柱梁架構５０は、端部に位置する柱梁架構２６と、柱梁架構２６に続いて構築される柱梁架構５１を有している。柱梁架構５１は、標準化された最少単位の柱梁架構４８（４８Ａ、４８Ｂ、…）を、必要な数だけ繰り返して構築される。
柱梁架構４８（４８Ａ、４８Ｂ、…）は、いずれも同じ構成であり、以後、柱梁架構４８として説明する。
【００３９】
図６（Ａ）に示すように、先ず、柱１６が建て込まれ、ＰＣａ製の梁５２と柱１６が接合される。このとき、梁５２は、柱１４に乗せられた状態で矢印ＨＶの方向（横方向）へ移動させられて接合される。
ここに、梁５２は、１スパン分の梁長Ｓを有し、一方の端部には、仕口部５３が一体的に形成されている。また、梁５２の仕口部５３には、縦方向に貫通孔（第１貫通孔）４４が形成され、梁５２の柱５４側の側面には、スリーブ３２が埋め込まれている。
【００４０】
これにより、接続鉄筋４６が、柱１６の貫通孔４０を貫通し、先端が梁２４のスリーブ３２内に挿入されて接合される。このとき、必要に応じて、サポート３８で梁５２が支持される。梁５２を柱１６と接合された状態では、仕口部５３が柱１４の上面に載置され、貫通孔４４とスリーブ３０の位置が鉛直方向に一致する。
【００４１】
次に、ＰＣａ製の梁（第１梁）５４が横方向（矢印Ｈ方向）へ移動させられ、仕口部５３に取付けられる。ここに、梁５４は、１スパン分の梁長Ｓを有し、仕口部５３側の端部から、接続鉄筋３６が突出されている。また、他方の端部には、スリーブ３２が埋め込まれている。梁５４は、必要に応じてサポート３８で支持される。
【００４２】
次に、図６（Ｂ）に示すように、下面から接続鉄筋４２Ｕを突出させた上階の柱１４Ｕが、下方（矢印Ｄ方向）へ移動させられる。これにより、接続鉄筋４２Ｕが、梁５２の縦貫通孔４４を貫通して、柱１４のスリーブ３２と接合させられる。
なお、以上説明した柱梁接合部は、目地、貫通孔４０、４４、及びスリーブ３０、３２にグラウトを注入、または圧入充填して固定される。他の工程は、第１実施形態と同じであり説明は省略する。
【００４３】
本実施形態によれば、柱１６の仕口部１７に形成された貫通孔４０へ、梁５２から突出された接続鉄筋４６が挿入され、柱１６と梁５２が接合される。また、梁５２の仕口部に形成された貫通孔４４へ、上階の柱１４Ｕから突出された接続鉄筋４２Ｕが挿入され、柱１４と梁５２が接合される。更に、梁５４から突出された接続鉄筋３６で、梁５２と梁５４が接合される。
【００４４】
これにより、仕口部１７、５３を柱１６と梁５２に分散させることができる。このとき、仕口部１７を貫通する接続鉄筋４６の接合方向と、仕口部５３を貫通する接続鉄筋４２Ｕの接合方向を、縦方向と横方向にそれぞれ異ならせることができる。また、柱１６と柱１４、及び梁５２と梁５４の構成を、それぞれ異ならせることができる。
この結果、柱梁架構５０の、多様な架構形式や施工方法への対応を容易とすることができる。
【００４５】
（第３実施形態）
本発明の第３実施形態に係る柱梁架構６０の構築方法について、図７〜図９を用いて説明する。ここに、図７は、本実施形態に係る構築方法で構築された柱梁架構６０を正面から見た断面図であり、図８、図９は、各構築段階を示す図である。
【００４６】
図７に示すように、柱梁架構６０は、端部の柱梁架構２６と、柱梁架構６２が繰り返し構築された柱梁架構６８と、柱梁架構６２と柱梁架構６の間に構築された柱梁架構６６とを有している。第１実施形態に係る柱梁架構１０との相違点を中心に説明する。
【００４７】
先ず、柱梁架構６６の構築方法について説明する。
図８（Ａ）に示すように、ＰＣａ製の柱（第２柱）１６を、梁２４の隣であり、ＰＣａ製の柱１６Ｄの上に建て込む。柱１６は、建て込まれた状態で、仕口部１７の貫通孔（第１横貫通孔）４０が、梁２４のスリーブ３２と横方向に一致されている。
【００４８】
続いて、梁６４を横方向（矢印ＨＶ方向）へ移動させ、梁６４を柱１６に接合させる。
ここに、梁６４は、１スパン分の梁長Ｓを有し、両端部から接続鉄筋３６が突出た構成であり、接続鉄筋３６を柱１６の貫通孔４０を貫通させて梁２４のスリーブ３２と接合させる。このとき、梁６４は、必要に応じてサポート３８で支持される。
これにより、柱梁架構６６が構築される。
【００４９】
続いて、柱梁架構６２の構築方法について説明する。
図８（Ｂ）に示すように、先ず、柱７８を横方向（矢印ＨＶ方向）へ移動させる。このとき、貫通孔４０へ接続鉄筋３６を貫通させ、移動後、下階のＰＣａ製の柱７８Ｄと接合させる。
ここに、柱７８は、階高分の柱長Ｈを有し、上端部には、仕口部７９が一体的に形成されている。仕口部７９には、横方向へ貫通孔４０が形成され、柱７８の下端部にはスリーブ８０が移動可能に取り付けられている。また、上端部にはスリーブ受け部８２が設けられている。
【００５０】
ここで、柱７８と、柱７８Ｄの接合方法について説明する。
図９（Ａ）に示すように、柱７８の下端部には上部柱継手１００が設けられている。上部柱継手１００は保護管８４を有し、保護管８４は、下端を柱７８の下端部に開放して埋め込まれている。保護管８４は、柱鉄筋８８の周囲に、柱鉄筋８８の方向に所定の深さに埋め込まれ、保護管８４の内部には空間が形成されている。保護管８４内部の空間には、スリーブ８０が移動可能に挿入されている。柱鉄筋８８は、柱７８の下端からは突き出さない長さとされている。また、スリーブ８０は、重力で落下しないように、吊紐９２で空間に吊るされている。
【００５１】
一方、柱７８Ｄの上端部には、下部柱継手１０２が設けられている。下部柱継手１０２は、保護管８６を有し、保護管８６は、上端を柱７８Ｄの上端部に開放して埋め込まれている。保護管８６は、保護管８４と対向する柱鉄筋８８の周囲に埋め込まれている。また、保護管８６は、柱鉄筋８８の方向に、保護管８４より浅く埋め込まれている。保護管８６は、スリーブ８０より大径とされ、保護管８６の内部には空間が形成されている。また、柱鉄筋８８は、柱７８Ｄの上端から突出さない長さとされている。
なお、スリーブ８０は、保護管８６の埋め込み深さより長く形成されている。
【００５２】
これにより、柱７８を、横方向（矢印ＨＶ方向）へ移動させて、柱７８Ｄの上に建て込むことができる。柱７８を建て込み位置に移動させたとき、柱７８の柱鉄筋８８と柱７８Ｄの柱鉄筋８８、及び保護管８４と保護管８６が、それぞれ縦方向に配置される。
【００５３】
次に、図９（Ｂ）に示すように、柱７８の建て込み位置が決定されたとき、吊紐９２が切断される。これにより、スリーブ８０が、柱７８Ｄの保護管８６の下端部まで落下する。この結果、スリーブ８０が、柱７８と柱７８Ｄの柱鉄筋８８の端部を跨いで、周囲を囲む位置に配置される。
【００５４】
最後に、図９（Ｃ）に示すように、目地９１をシール材９４で塞ぎ、開口部９０を利用して空間内部へグラウト９６を充填する。これにより、柱鉄筋８８及び保護管８４、８６が一体化され、柱７８と柱７８Ｄが接合される。
【００５５】
続いて、図４（Ａ）に示したように、梁２０が、横方向（矢印Ｈ方向）へ移動され、仕口部７９に取付けられる。このとき、梁２０のスリーブ３２には、梁６４から突出された接続鉄筋３６が、柱７８の貫通孔４０を通して接合される。梁２０は、必要に応じてサポート３８で支持される。
【００５６】
次に、図７に示すように、柱１６が、柱７８の隣に建て込まれる。柱１６は、建て込まれた状態で、仕口部１７の貫通孔４０が、梁２０のスリーブ３２と横方向に一致される。
次に、梁６４を横方向へ移動させ、接続鉄筋３６を柱１６の貫通孔４０を貫通させて、梁２０のスリーブ３２と接合させる。
以上の工程を、Ｘ軸方向、及びＸ軸と直交するＹ軸方向へ方向繰り返すことで、柱梁架構６８が構築される。
【００５７】
以上説明したように、本実施形態によれば、柱７８の仕口部７９に形成された貫通孔４０へ、先行配置された梁６４から突出された接続鉄筋３６が挿入され、柱７８と梁２０が接合される。また、梁６４から突出された接続鉄筋３６が、柱１６の仕口部１７に形成された貫通孔４０を貫通して、梁２０と接合され、柱１６と梁２０、及び梁２０と梁６４が接合される。
【００５８】
これにより、仕口部１７、７９は、いずれも柱１６と柱７８に設けられるものの、仕口部１７、７９を貫通する接続鉄筋３６の接合方向を、正面視において、右方向からと左方向からにそれぞれ異ならせることができる。また、柱１６と柱７８、及び梁２０と梁６４の構成を、それぞれ異ならせることができる。
この結果、柱梁架構６０の、多様な架構形式や施工方法への対応を容易とすることができる。
【００５９】
（第４実施形態）
本発明の第４実施形態に係る柱梁架構７０の構築方法について、図１０〜１２を用いて説明する。図１０は、本実施形態に係る構築方法で構築された柱梁架構７０を示す正面から見た断面図であり、図１１、図１２は、いずれも各構築段階を示す図である。
【００６０】
図１０に示すように、柱梁架構７０は、端部に構築された柱梁架構２６と、柱梁架構７１が繰り返し構築された柱梁架構７２と、柱梁架構７２と柱梁架構２６の間に構築された柱梁架構７８と、を有している。柱梁架構２６は、第３実施形態に係る柱梁架構６０の柱梁架構２６と同じであり説明は省略し、柱梁架構７８、７１を中心に説明する。
【００６１】
先ず、柱梁架構７８の構築方法について説明する。
図１１（Ａ）に示すように、柱１６が、梁２４の隣であり、下階の柱１６Ｄの上に建て込まれる。柱１６は、建て込まれた状態で、仕口部１７の貫通孔４０が、梁２４のスリーブ３２と横方向に一致されている。
【００６２】
続いて、ＰＣａ製の梁７６が横方向（矢印ＨＶ方向）へ移動させられ、梁７６と柱１６が接合される。ここに、梁７６は、１スパン分の梁長Ｓを有し、一方の端部から接続鉄筋３６が突出され、他方の端部には、スリーブ３２が埋め込まれた構成である。接続鉄筋３６が、仕口部１７の貫通孔４０を貫通し、梁２４のスリーブ３２の内部に挿入されて接合される。このとき、梁６４は、必要に応じて、サポート３８で支持される。
これにより、柱梁架構７８が構築される。
【００６３】
続いて、柱梁架構７１の構築方法について説明する。
図１１（Ｂ）に示すように、先ず、ＰＣａ製の柱７４が横方向（矢印ＨＶ方向）へ移動され、下階のＰＣａ製の柱７４Ｄと接合させられる。
ここに、柱７４は、階高分の柱長Ｈを有し、上端部には、仕口部７５が一体的に形成されている。柱７４の下端部には、上部柱継手１００が取り付けられ、柱７４の上端部には下部柱継手１０２が設けられている。柱７４の両側面からは、接続鉄筋９８が突出されている。なお、上部柱継手１００と上部柱継手１００を用いた、柱７４と、柱７４Ｄの接合方法については、第３実施形態と同じであり、説明は省略する。
【００６４】
次に、図１２（Ａ）に示すように、梁２０を、横方向（矢印Ｈ方向）へ移動させて仕口部７５に取付ける。このとき、梁２０のスリーブ３２には、柱７４から突出された接続鉄筋９８が挿入されて接合される。梁２０は、必要に応じてサポート３８で支持される。
【００６５】
次に、図１２（Ｂ）に示すように、柱７４の隣に柱１６が建て込まれる。柱１６は、上端部に仕口部１７が一体的に形成されており、建て込まれた状態で、仕口部１７の貫通孔４０を、梁２０のスリーブ３２と横方向に一致させている。
次に、梁７６が横方向へ移動され、柱１６と接合される。このとき、梁７６の接続鉄筋３６が、貫通孔４０を貫通して、梁２０のスリーブ３２内に挿入されて接合される。
以上の工程を、Ｘ軸方向、及びＸ軸と直交するＹ軸方向へ方向繰り返すことで、柱梁架構７２が構築される。他は、第３実施形態と同じであり、説明は省略する。
【００６６】
以上説明したように、本実施形態によれば、柱７４の仕口部７５から突出された接続鉄筋９８が、梁２０のスリーブ３２と接合され、柱７４と梁２０が接合される。また、梁７６から突出された接続鉄筋３６が、柱１６に形成された貫通孔４０を貫通して、梁２０と接合され、柱１６と梁２０、及び梁２０と梁７６が接合される。
【００６７】
これにより、仕口部１７、７５は、いずれも柱１６と柱７８に設けられるものの、仕口部１７、７５における接続鉄筋３６、９８の配筋方法を、それぞれ異ならせることができる。また、柱１６と柱７８、及び梁２０と梁７６の構成を、それぞれ異ならせることができる。
この結果、柱梁架構７０の、多様な架構形式や施工方法への対応を容易とすることができる。
【００６８】
（第５実施形態）
本発明の第５実施形態に係る柱梁架構８０の構築方法について、図１３、１４を用いて説明する。ここに、図１３は、本実施形態に係る構築方法で構築された柱梁架構８０を正面から見た断面図であり、図１４（Ａ）、（Ｂ）は、いずれも構築段階を示す図である。
【００６９】
図１３に示すように、柱梁架構８０は、端部の柱梁架構２６と、柱梁架構８１が繰り返し構築された柱梁架構８２と、柱梁架構８２と柱梁架構２６の間に構築された柱梁架構７８と、を有している。第４実施形態に係る柱梁架構６０との相違点を中心に説明する。
なお、柱梁架構２６、７８の構築方法は、第４実施形態に係る柱梁架構６０と同じであり、説明は省略し、柱梁架構８１の構築方法について説明する。
【００７０】
先ず、図１４（Ａ）に示すように、柱１６を、梁２４の隣であり、下階の柱１６Ｄの上に建て込む。柱１６の上部には仕口部１７が一体的に形成され、仕口部１７には、貫通孔４０が形成されている。貫通孔４０は、梁１６が建て込まれた状態で、梁２４のスリーブ３２と横方向に一致させている。
【００７１】
次に、図１４（Ｂ）に示すように、貫通孔４０に接続鉄筋９９を挿入する。接続鉄筋９９は、貫通孔４０を貫通させ、且つ、両端部をスリーブ３２に挿入させることができる長さＬを有している。接続鉄筋９９が横方向（矢印ＨＶ方向）へ移動され、柱１６の貫通孔４０を貫通させて梁２４のスリーブ３２と接合される。このとき、一端は、仕口部１７から突き出されている。
【００７２】
続いて、梁２０が横方向へ移動され、梁２０のスリーブ３２へ接続鉄筋９９が挿入されて接合される。次に、図１３に示すように、柱１６と隣接して柱１６が建て込まれる。柱１６は、建て込まれた状態で、仕口部１７の貫通孔４０が、梁２０のスリーブ３２と横方向に一致させている。
【００７３】
次に、２本目の梁７６が横方向へ移動され、梁７６から突出された接続鉄筋３６が、柱１６の貫通孔４０を貫通させて、梁２０のスリーブ３２へ挿入されて接合される。
以上の工程を、Ｘ軸方向、及びＸ軸と直交するＹ軸方向へ方向繰り返すことで、柱梁架構８２が構築される。他は、第４実施形態と同じであり説明は省略する。
【００７４】
以上説明したしたように本実施形態によれば、柱１６の仕口部１７に形成された貫通孔４０へ、梁接続用の梁接続鉄筋９９が挿入され、柱１６と梁２０が接合される。また、梁７６から突出された梁鉄筋が、柱１６の仕口部１７に形成された貫通孔４０を貫通して、梁２０と接合され、柱１６と梁２０、及び梁２０と梁７６が接合される。
【００７５】
これにより、仕口部１７は、いずれも同じ柱１６に設けられ、同じ構成になる。しかし、仕口部１７における接続鉄筋３６、９９の配筋方法を、それぞれ異ならせることができる。また、梁２０と梁７６の構成を、それぞれ異ならせることができる。
この結果、柱梁架構８２の、多様な架構形式や施工方法への対応を容易とすることができる。
【符号の説明】
【００７６】
１０、５０、６０、７０、８０  柱梁架構
１２、４８、６２、７１、８１柱梁架構（繰り返し構築される柱梁架構）
１４  柱（第１柱）
１４Ｄ  下階の柱
１４Ｕ  上階の柱
１６  柱（第２柱）
１６Ｄ  下階の柱
１７、１９  仕口部
１８  梁（第１梁）
２０  梁（第２梁）
３０  スリーブ（第１縦継手部材）
３２  スリーブ（第１横継手部材）
３４  接続鉄筋（柱鉄筋）
４０  貫通孔（第１横貫通孔）
４２  接続鉄筋（柱鉄筋）
４２Ｕ  下階の接続鉄筋（柱鉄筋）
４４  貫通孔（第１縦貫通孔）
４６  接続鉄筋（梁鉄筋）
９９  接続鉄筋（梁接続鉄筋）
Ｓ    １スパン分の距離
Ｈ    階高分の高さ
ＨＶ  移動方向（水平方向）
ＤＶ  移動方向（鉛直方向）
【図１】
2015129412.tif 000003
【図２】
2015129412.tif 000004
【図３】
2015129412.tif 000005
【図４】
2015129412.tif 000006
【図５】
2015129412.tif 000007
【図６】
2015129412.tif 000008
【図７】
2015129412.tif 000009
【図８】
2015129412.tif 000010
【図９】
2015129412.tif 000011
【図１０】
2015129412.tif 000012
【図１１】
2015129412.tif 000013
【図１２】
2015129412.tif 000014
【図１３】
2015129412.tif 000015
【図１４】
2015129412.tif 000016